(57)【要約】【課題】カメラ本体と撮影レンズ鏡胴ユニットの間を接続する接続用フレキシブルプリント基板をなくすことで、撮影レンズ鏡胴ユニットの動作を円滑にする。【解決手段】カメラ本体１の光軸上に撮影レンズ鏡胴ユニット２を出没自在に支持したカメラにおいて、撮影レンズ鏡胴ユニット２側にシャッタ駆動部２６とそれを制御するシャッタ制御部２２とそれらの電源部２４を備えるとともに、カメラ本体１と撮影レンズ鏡胴ユニット２との両方にシャッタ制御信号を互いに通信する通信部１４，２５を備え、カメラ本体１に入力された撮影スタート信号を前記通信部１４，２５を介してカメラ本体１側から撮影レンズ鏡胴ユニット２側のシャッタ制御部２２へ送信する。【選択図】　図１
2004109434.tif 000002
【特許請求の範囲】
【請求項１】
カメラ本体の光軸上に撮影レンズ鏡胴ユニットを出没自在に支持したカメラにおいて、
撮影レンズ鏡胴ユニット側にシャッタ駆動部とそれを制御するシャッタ制御部とそれらの電源部を備えるとともに、カメラ本体と撮影レンズ鏡胴ユニットとの両方にシャッタ制御信号を互いに通信する通信部を備え、カメラ本体に入力された撮影スタート信号を前記通信部を介してカメラ本体側から撮影レンズ鏡胴ユニット側のシャッタ制御部へ送信するようにしたことを特徴とするカメラ。
【請求項２】
請求項１に記載のカメラにおいて、
カメラ本体にカメラ制御手段と撮影開始を入力するレリーズスイッチを備え、レリーズスイッチにより撮影開始が入力された場合に、カメラ制御手段は本体側通信部から撮影レンズ鏡胴ユニット側通信部にシャッタ作動開始を指示するシャッタ制御信号を送信し、その信号を受信した撮影レンズ鏡胴ユニット側のシャッタ制御部が予め設定されたシーケンスでシャッタを駆動するようにしたことを特徴とするカメラ。
【請求項３】
請求項１または２に記載のカメラにおいて、
カメラ本体と撮影レンズ鏡胴ユニットの両方に備えられる通信部として、発光素子と受光素子を組合せた光通信手段を用いたことを特徴とするカメラ。
【請求項４】
請求項１または２に記載のカメラにおいて、カメラ本体と撮影レンズ鏡胴ユニットの両方に備えられる通信部として、電波による通信手段を用いたことを特徴とするカメラ。
【請求項５】
請求項１乃至４のいずれかに記載のカメラにおいて、
撮影レンズ鏡胴ユニット側に測光回路部を備え、撮影開始が入力された場合、カメラ制御手段は前記通信部を介して測光動作開始を指示する制御信号をカメラ本体側から撮影レンズ鏡胴ユニット側の測光回路部へ送信し、それを受信した測光回路部は被写体輝度を測定するようにしたことを特徴とするカメラ。
【請求項６】
請求項１乃至５のいずれかに記載のカメラにおいて、
カメラ本体側に鏡胴側バッテリー異常を表示する表示手段を備え、撮影レンズ鏡胴ユニット側に鏡胴側バッテリーチェック回路を備え、鏡胴側の電源部の電圧低下を鏡胴側バッテリーチェック回路が検出した場合に、前記通信部を介してバッテリー異常信号を撮影レンズ鏡胴ユニット側からカメラ本体側へ送信し、それを受信した前記表示手段がバッテリー異常を表示するようにしたことを特徴とするカメラ。
【請求項７】
請求項６に記載のカメラにおいて、
カメラ本体側に鏡胴収納指令信号を発生する手段を備え、バッテリー異常信号をカメラ本体側が受信したら前記信号発生手段が鏡胴収納指令信号を発生して、鏡胴をカメラ本体内に収納するようにしたことを特徴とするカメラ。
【発明の詳細な説明】
【０００１】
【発明の属する技術分野】
本発明は、カメラ本体の光軸上に出没自在に支持された撮影レンズ鏡胴ユニットを備えたカメラに関する。
【０００２】
【従来の技術】
従来、カメラの鏡胴ユニットへの電源供給装置に関する技術として、実公平７−３３２２３号公報の考案がある。これはレンズ鏡筒とカメラ本体間を接続するフレキ（接続用フレキシブルプリント基板）が撮影光路に侵入することをフレキの折り曲げ方を工夫することで防止する考案である。また、同じく実用新案登録第２５３１７０５号の考案がある。これはレンズ鏡筒とカメラ本体間を接続するフレキによるフレアを防止する考案である。また、特開２０００−１４７３５５号公報の発明がある。これはレンズ鏡筒とカメラ本体間を接続するフレキにたるみが生じて撮影光路に侵入することを防止する発明である。また、特開２００１−４２４０２号公報の発明がある。これはカメラ本体のパトローネ室とスプール室にＣＰＵを含む回路ユニットを置き、両者間を通信で相互接続することにより、本体内部のレイアウトを有効に使おうとした発明である。
【０００３】
【発明が解決しようとする課題】
しかしながら、前述の実公平７−３３２２３号、実用新案登録第２５３１７０５号、特開２０００−１４７３５５号は、いずれもフレキを使用すると、フレキのコシなどにより、鏡胴ユニットを駆動する時の負荷が増えたり、負荷変動が発生することがあり、鏡胴ユニットを高精度で制御することを困難にする要因となり、根本的な対策にはなっていない。さらに、フレキを使用すると、フレキの通り道の部分から光漏れが発生しやすくなり、光漏れ防止の部品が必要となり、その部品が鏡胴の動作を重くするという悪循環を生んでいる。その他、フレキにはシャッター等を駆動するため比較的大きな電流が流れるが、スペース上の制約により銅箔パターン幅を大きく確保できないため、その抵抗成分による電圧ドロップが大きくなってしまうという電気的な問題もある。またフレアを防止するためにフレキを塗装したりするため、実装コストもアップしている。
また、特開２００１−４２４０２号は、鏡胴ユニットと本体間にフレキなどの接続手段が必要となるので、前記３件と同様にそのフレキが鏡胴ユニットを高精度で制御することを困難にする要因となる。
そこで、請求項１〜４の発明の目的は、本来はカメラ本体と鏡胴ユニット間には電源供給やシャッタ制御信号接続のために必要になるフレキを廃止することである。
請求項５の発明の目的は、鏡胴ユニットと本体間にフレキを使用しないカメラにおいて測光回路を鏡胴ユニット側に配置することにより、測光範囲と撮影レンズとのパララックスを小さくすることである。
請求項６の発明の目的は、鏡胴ユニット側の電源電圧が低下した時に、そのことを使用者に明確に伝えることでである。
請求項７の発明の目的は、鏡胴ユニット側の電源電圧が低下した時に撮影動作を中止させることでである。
【０００４】
【課題を解決するための手段】
そこで請求項１の発明は、カメラ本体の光軸上に撮影レンズ鏡胴ユニットを出没自在に支持したカメラにおいて、撮影レンズ鏡胴ユニット側にシャッタ駆動部とそれを制御するシャッタ制御部とそれらの電源部を備えるとともに、カメラ本体と撮影レンズ鏡胴ユニットとの両方にシャッタ制御信号を互いに通信する通信部を備え、カメラ本体に入力された撮影スタート信号を前記通信部を介してカメラ本体側から撮影レンズ鏡胴ユニット側のシャッタ制御部へ送信するようにしたことを特徴とする。
【０００５】
請求項２の発明は、請求項１の発明において、カメラ本体にカメラ制御手段と撮影開始を入力するレリーズスイッチを備え、レリーズスイッチにより撮影開始が入力された場合に、カメラ制御手段は本体側通信部から撮影レンズ鏡胴ユニット側通信部にシャッタ作動開始を指示するシャッタ制御信号を送信し、その信号を受信した撮影レンズ鏡胴ユニット側のシャッタ制御部が予め設定されたシーケンスでシャッタを駆動するようにしたことを特徴とする。
【０００６】
請求項３の発明は、請求項１または２の発明において、カメラ本体と撮影レンズ鏡胴ユニットの両方に備えられる通信部として、発光素子と受光素子を組合せた光通信手段を用いたことを特徴とする。
【０００７】
請求項４の発明は、請求項１または２の発明において、カメラ本体と撮影レンズ鏡胴ユニットの両方に備えられる通信部として、電波による通信手段を用いたことを特徴とする。
【０００８】
請求項５の発明は、請求項１乃至４のいずれかの発明において、撮影レンズ鏡胴ユニット側に測光回路部を備え、撮影開始が入力された場合、カメラ制御手段は前記通信部を介して測光動作開始を指示する制御信号をカメラ本体側から撮影レンズ鏡胴ユニット側の測光回路部へ送信し、それを受信した測光回路部は被写体輝度を測定するようにしたことを特徴とする。
【０００９】
請求項６の発明は、請求項１乃至５のいずれかの発明において、カメラ本体側に鏡胴側バッテリー異常を表示する表示手段を備え、撮影レンズ鏡胴ユニット側に鏡胴側バッテリーチェック回路を備え、鏡胴側の電源部の電圧低下を鏡胴側バッテリーチェック回路が検出した場合に、前記通信部を介してバッテリー異常信号を撮影レンズ鏡胴ユニット側からカメラ本体側へ送信し、それを受信した前記表示手段がバッテリー異常を表示するようにしたことを特徴とする。
【００１０】
請求項７の発明は、請求項６の発明において、カメラ本体側に鏡胴収納指令信号を発生する手段を備え、バッテリー異常信号をカメラ本体側が受信したら前記信号発生手段が鏡胴収納指令信号を発生して、鏡胴をカメラ本体内に収納するようにしたことを特徴とする。
【００１１】
【発明の実施の形態】
請求項１および２の発明に関する第一の実施例について、図１に基づいて説明する。図１は、請求項１と２の発明に係るカメラの電気的構成を示すブロック図であり、カメラ本体１は、撮影レンズ鏡胴ユニット２を、その光軸上に出没自在に保持している。カメラ本体１は、カメラ制御手段であるところの本体側システム制御部１１、本体側電源部１２、レンズ駆動部１３、本体側通信部１４、ＬＣＤモニタ駆動回路１５により構成されている。また、カメラ本体１には、ＬＣＤモニタ３とレリーズスイッチ４が接続されている。撮影レンズ鏡胴ユニット２は、鏡胴側システム制御部２１、シャッタ制御部２２、シャッタ駆動部であるところのシャッタ部２３、鏡胴側電源部２４、鏡胴側通信部２５により構成されている。本体側システム制御部１１は、マイクロコンピュータ回路により構成され、カメラ全体の動作を制御する。鏡胴側システム制御部２１は、マイクロコンピュータ回路により構成され、鏡胴ユニット２側の動作を制御する。本体側通信部１４と鏡胴側通信部２５は互いにシャッタ制御信号を送受信する。
【００１２】
次に、図１に示されたカメラの動作を、図１を参照しながら図２および図３のフロー図に基づいて説明する。図２はカメラ本体１の動作を示すフロー図である。図２において、「撮影スタンバイ」になり（ステップ２０１）、レリーズスイッチ４のＲＬＳＷ１がＯＮ（レリーズ釦の半押し）されると（ステップ２０２ＹＥＳ）、カメラ本体１側は測光動作やオートフォーカス動作（測距動作）などの「撮影準備作業」を行う（ステップ２０３）。次に、本体側通信部１４から鏡胴側通信部２５に「撮影準備信号送信」が行われる（ステップ２０４）。ここで、鏡胴側通信部２５から「準備完了信号受信」がなされ（ステップ２０５ＹＥＳ）、レリーズスイッチ４のＲＬＳＷ２がＯＮ（レリーズ釦の全押し）されると（ステップ２０６ＹＥＳ）、フォーカス動作などの「撮影動作作業」に移行する（ステップ２１０）。ここで本体側通信部１４から鏡胴側通信部２５に「撮影スタート信号送信」が行われる（ステップ２１１）。この信号は鏡胴ユニット２側に対する単なる露出動作開始という信号だけでなく、露出動作に必要な情報も含んでいる。そして鏡胴側通信部２５からの「シャッタートリガ信号」を受信すると（ステップ２１２ＹＥＳ）、必要な場合にはストロボ発光を行い、その後、鏡胴側通信部２５からの「撮影完了信号」を受信すると（ステップ２１３）、フィルム給送や撮影データ記憶などの「撮影後の動作」を行い（ステップ２１４）、撮影は完了する。レリーズスイッチ検出ステップ２０６において、ＲＬＳＷ２がＯＮ（レリーズ釦の全押し）されていないときは（ステップ２０６ＮＯ）、ＲＬＳＷ１の検出を行い、ＲＬＳＷ１がＯＮされていれば（ステップ２０７ＹＥＳ）、ＲＬＳＷ２の検出を続ける（ステップ２０６）。ＲＬＳＷ１の検出ステップでＲＬＳＷ１がＯＦＦされていれば（ステップ２０７ＮＯ）、既に行った撮影準備作業をもとの状態に戻す「撮影準備リセット作業」を行い（ステップ２０８）、鏡胴ユニット２側に対して「撮影リセット信号」を送信して（ステップ２０９）、ステップ２０１の「撮影スタンバイ」に戻る。
【００１３】
図３は撮影レンズ鏡胴ユニット２側の動作を示すフロー図である。図３において、「撮影スタンバイ」になり（ステップ３０１）、本体側通信部１４からの「撮影準備信号」を受信すると（ステップ３０２ＹＥＳ）、鏡胴ユニット２側の「撮影準備作業」を行う（ステップ３０３）　。それが完了すると鏡胴側通信部２５から本体側通信部１４へ「準備完了信号」を送信する（ステップ３０４）。次に本体側通信部１４からの「撮影スタート信号」を受信すると（ステップ３０５ＹＥＳ）、シャッタ作動などの「撮影動作作業」を行う（ステップ３０８）。次いで、シャッターが駆動されて、シャッターからトリガ信号が発生されると本体側通信部１４へ「シャッタートリガ信号」を送信し（ステップ３０９）、撮影動作が完了すると鏡胴側通信部２５から本体側通信部１４へ「撮影完了信号」を送信し（ステップ３１０）、鏡胴ユニット２側の撮影動作は完了する。「撮影スタート信号」受信のステップ３０５において撮影スタート信号が受信されないときは（ステップ３０５ＮＯ）、「撮影リセット信号」を受信したかどうかをチェックし、受信していない場合は（ステップ３０６ＮＯ）「撮影スタート信号」を受信したかどうかのチェックを続ける（ステップ３０５）。「撮影リセット信号」を受信した場合は（ステップ３０６ＹＥＳ）、既に行った撮影準備作業をもとの状態に戻す「撮影準備リセット作業」を行い（ステップ３０７）、ステップ３０１の「撮影スタンバイ」に戻る。
図４は撮影レンズ鏡胴ユニット２をカメラ本体１に収納した時のイメージ図である。なお、本体側通信部１４と鏡胴側通信部２５との間は、発光素子と受光素子を組み合わせた光通信手段を用いる場合と、電波による無線通信手段を用いる場合がある。
【００１４】
次に、請求項５の発明に関する第二の実施例について、図５に基づいて説明する。図５は、請求項５の発明に係るカメラの電気的構成を示すブロック図であり、カメラ本体１は、撮影レンズ鏡胴ユニット２を、その光軸上に出没自在に保持している。カメラ本体１は、カメラ制御手段であるところの本体側システム制御部１１、本体側電源部１２、レンズ駆動部１３、本体側通信部１４、ＬＣＤモニタ駆動回路１５により構成されている。また、カメラ本体１には、ＬＣＤモニタ３とレリーズスイッチ４が接続されている。撮影レンズ鏡胴ユニット２は、鏡胴側システム制御部２１、シャッタ部２３、鏡胴側電源部２４、鏡胴側通信部２５、シャッタ駆動部２６、側光回路部２７により構成されている。本体側システム制御部１１は、マイクロコンピュータ回路により構成され、カメラ全体の動作を制御する。鏡胴側システム制御部２１は、マイクロコンピュータ回路により構成され、鏡胴ユニット２側の動作を制御する。本体側通信部１４と鏡胴側通信部２５は互いにシャッタ制御信号を送受信する。
【００１５】
次に、図５に示されたカメラの動作を、図５を参照しながら図６および図７のフロー図に基づいて説明する。図６はカメラ本体１の動作を示すフロー図であり、図７は撮影レンズ鏡胴ユニット２の動作を示すフロー図である。図６と図７のフロー図はそれぞれ図２と図３のフロー図と基本的動作は同じであり、異なっている点についてだけ説明する。図６において、ステップ６０４で、本体側通信部１４から鏡胴側通信部２５に「撮影準備信号送信」が行われると、図７の鏡胴ユニット２側では、ステップ７０３で、「撮影準備作業」が行われるが、このときの「撮影準備作業」には、側光回路部２７による測光動作が含まれる。続いて鏡胴側通信部２５から本体側通信部１４へ「準備完了信号送信」が実行される（ステップ７０４）が、「準備完了信号送信」には測光結果（被写体輝度情報）の送信も含んでいる。そしてカメラ本体１側のステップ６０５で、「準備完了信号」を受信すると、本体側システム制御部１１では受信した被写体輝度情報とレンズの明るさ情報とフィルム感度情報から露出時間を演算し（ステップ６０６）、レリーズスイッチ４のＲＬＳＷ２の検出ステップ（ステップ６０７）に進む。以下、図２と同じである。
【００１６】
次に、請求項６及び７の発明に関する第三の実施例について、図８に基づいて説明する。図８は、請求項６及び７の発明に係るカメラの電気的構成を示すブロック図であり、カメラ本体１は、撮影レンズ鏡胴ユニット２を、その光軸上に出没自在に保持している。カメラ本体１は、カメラ制御手段であるところの本体側システム制御部１１、本体側電源部１２、レンズ駆動部１３、本体側通信部１４、ＬＣＤモニタ駆動回路１５により構成されている。また、カメラ本体１には、ＬＣＤモニタ３とレリーズスイッチ４が接続されている。撮影レンズ鏡胴ユニット２は、鏡胴側システム制御部２１、シャッタ部２３、鏡胴側電源部２４、鏡胴側通信部２５、シャッタ駆動部２６、鏡胴側ＢＣ（バッテリーチェック）回路部２８により構成されている。本体側システム制御部１１は、マイクロコンピュータ回路により構成され、カメラ全体の動作を制御する。鏡胴側システム制御部２１は、マイクロコンピュータ回路により構成され、鏡胴ユニット２側の動作を制御する。本体側通信部１４と鏡胴側通信部２５は互いにシャッタ制御信号を送受信する。
【００１７】
次に、図８に示されたカメラの動作を、図８を参照しながら図９および図１０のフロー図に基づいて説明する。図９はカメラ本体１の動作を示すフロー図であり、図１０は撮影レンズ鏡胴ユニット２の動作を示すフロー図である。図９と図１０のフロー図はそれぞれ図２と図３のフロー図と基本的動作は同じであり、異なっている点についてだけ説明する。図９において、ステップ９０４で、本体側通信部１４から鏡胴側通信部２５に「撮影準備信号送信」が行われると、図１０の鏡胴ユニット２側では、それを受信して（ステップ１０２ＹＥＳ）、「撮影準備作業」が行われる（ステップ１０３）が、このときの「撮影準備作業」には、鏡胴側ＢＣ回路部２８によるバッテリーチェック動作が含まれる。これは鏡胴ユニット２側の鏡胴側電源部２４の電池残量がシャッターを駆動するのに充分かどうかを確認することであり、次のステップ１０４で鏡胴通信部２５から本体側通信部１４への「準備完了信号送信」においてバッテリーチェック結果も送信される。カメラ本体１側のステップ９０５でこの「準備完了信号」を受信すると、送られてきた鏡胴側電源部２４のバッテリーチェック結果に基づいて、バッテリーＯＫの場合は（ステップ９０６ＹＥＳ）、レリーズスイッチ４のＲＬＳＷ２の検出ステップ（ステップ９１２）に進み、以下は第一の実施例と同じになる。また、バッテリーＮＧの場合は（ステップ９０６ＮＯ）、カメラ本体１側での「撮影準備リセット作業」を行う（ステップ９０７）と同時に、鏡胴ユニット２側へ「撮影リセット信号」を送信し（ステップ９０８）、カメラ本体１側のＬＣＤモニタ３に「鏡胴側バッテリーＮＧ表示」を行う（ステップ９０９）。そしてＲＬＳＷ１がＯＦＦされていれば（ステップ９１０ＮＯ）、「鏡胴収納作業」を行って（ステップ９１１）、ステップ９０１の「撮影スタンバイ」に戻る。
【００１８】
【発明の効果】
以上述べたように請求項１〜４の本発明によれば、カメラ本体と鏡胴ユニット間を電気的に接続するフレキを廃止したことで、フレキを使うことによる弊害である鏡胴駆動負荷の増大やバラツキ、フレキの反射光によるフレアの発生を防止でき、高精度で鏡胴の駆動制御を行うことが可能となり、フレアの少ない写真を撮ることができる。
請求項５の本発明によれば、測光回路部を鏡胴ユニット側に配置したので、撮影レンズとのパララックスが小さい良好な測光範囲が得られると同時に、鏡胴ユニットと本体間にフレキを使用しないカメラにおいても、測光回路を本体側、鏡胴ユニット側のいずれにも配置可能なため設計の自由度が高くなる。
請求項６および７の本発明によれば、鏡胴ユニット側の回路が鏡胴ユニット側の電源電圧低下により誤動作することを防止でき、動作の安定したカメラを得ることができる。
【図面の簡単な説明】
【図１】請求項１及び２の発明に係るカメラの電気的構成を示すブロック図である。
【図２】図１のカメラ本体の動作を示すフロー図である。
【図３】図１の撮影レンズ鏡胴ユニットの動作を示すフロー図である。
【図４】図１の鏡胴ユニットをカメラ本体に収納した時のイメージ図である。
【図５】請求項５の発明に係るカメラの電気的構成を示すブロック図である。
【図６】図５のカメラ本体の動作を示すフロー図である。
【図７】図５の撮影レンズ鏡胴ユニットの動作を示すフロー図である。
【図８】請求項６及び７の発明に係るカメラの電気的構成を示すブロック図である。
【図９】図８のカメラ本体の動作を示すフロー図である。
【図１０】図８の撮影レンズ鏡胴ユニットの動作を示すフロー図である。
【符号の説明】
１　カメラ本体
２　撮影レンズ鏡胴ユニット
３　ＬＣＤモニタ
４　レリーズスイッチ
１１　本体側システム制御部
１２　本体側電源部
１３　レンズ駆動部
１４　本体側通信部
１５　ＬＣＤモニタ駆動回路
２１　鏡胴側システム制御部
２２　シャッタ制御部
２３　シャッタ部
２４　鏡胴側電源部
２５　鏡胴側通信部
２６　シャッタ駆動部
２７　側光回路部
２８　鏡胴側ＢＣ回路部
【図１】
2004109434.tif 000003
【図２】
2004109434.tif 000004
【図３】
2004109434.tif 000005
【図４】
2004109434.tif 000006
【図５】
2004109434.tif 000007
【図６】
2004109434.tif 000008
【図７】
2004109434.tif 000009
【図８】
2004109434.tif 000010
【図９】
2004109434.tif 000011
【図１０】
2004109434.tif 000012